(57)【要約】【課題】  洗い場蓋の施工性にすぐれた浴室ユニットの床パン構造を提供する。【解決手段】  本願発明の浴室ユニットの床パン構造は、洗い場側床パン１の端部に壁パネル設置部８を備え、洗い場蓋１０の端縁１２が、互いに対向する壁パネル設置部８の凹部１３に入り込んだ状態で洗い場蓋１０を対向方向に往復動させることにより、洗い場蓋１０の端縁が凹部１３に収容され、洗い場蓋１０が取り付けられる。【選択図】図１
2006233438.tif 000002
【特許請求の範囲】
【請求項１】
洗い場を有する浴室ユニットの床パンに形成した点検口を洗い場蓋で閉塞する浴室ユニットの床パン構造において、床パンの端部には、上面に壁載せ部が形成された壁パネル設置部が設けられ、浴槽側以外の壁パネル設置部には凹部が形成され、洗い場蓋の端縁が、互いに対向する壁パネル設置部の凹部に入り込んだ状態で洗い場蓋を対向方向に往復動させることにより、洗い場蓋の端縁が凹部に収容され、洗い場蓋が取り付けられるようになっていることを特徴とする浴室ユニットの床パン構造。
【請求項２】
洗い場蓋の端縁に、上方に折り返した立上り部を有し、立上り部の外壁に上方に突出する凸部が形成され、床パンの端部には、内方に壁載せ片が突設された壁パネルが設けられ、洗い場蓋の立上り部の凸部が、互いに対向する壁パネル設置部の凹部に入り込んだ状態で洗い場蓋を対向方向に往復動させることにより、凸部を含む立上り部が凹部に収容され、洗い場蓋が取り付けられるようになっていることを特徴とする請求項１記載の浴室ユニットの床パン構造。
【請求項３】
互いに対向する壁パネル設置部の凹部の奥行きが互いに異なり、一方を奥行きが深い凹部、他方を奥行きが浅い凹部としたことを特徴とする請求項１又は２記載の浴室ユニットの床パン構造。
【請求項４】
洗い場蓋の端縁に形成された立上り部の凸部の水平方向寸法をＡ、互いに対向する壁パネル設置部の凹部のうち深い凹部の奥行きをＢ、浅い凹部の奥行きをＣとしたときに、Ｂ≧２Ａ、かつＣ≧Ａの関係を有することを特徴とする請求項３記載の浴室ユニットの床パン構造。
【発明の詳細な説明】
【技術分野】
【０００１】
本願発明は、洗い場を有する浴室ユニットの床パン構造に関するものである。
【背景技術】
【０００２】
従来より、洗い場側床パンと浴槽側床パンを備えた浴室ユニットの床パン構造では、洗い場側床パンに点検口を形成し、その点検口を閉塞するために洗い場蓋が設けられている。
【０００３】
図２に、従来の浴室ユニットの床パン構造における洗い場側の構造を模式的に断面図で示す。洗い場側床パン２１の端部は上方に起立した起立部２２となっている。また、洗い場側床パン２１の端部には、壁パネル２３を設置するための壁載せ部２４を有する壁パネル設置部２５が設けられている。壁パネル設置部２５の外側下方には、床パン２１の起立部２２と係合する凹部２６が形成されている。また、洗い場側床パン２１の適所には点検口２７が形成されており、この点検口２７を閉塞するために洗い場蓋２８が取り付けられている。洗い場蓋２８は端部が下方に垂下した立下り部２９となっている。このように洗い場蓋２８の端部が垂下して立下り部２９となった構造は、例えば特許文献１に開示されている。
【特許文献１】特開２００１−２７９７５２号公報
【発明の開示】
【発明が解決しようとする課題】
【０００４】
しかしながら、上記のような従来の床パン構造においては、洗い場蓋２８の幅寸法は浴室内方寸法より小さいものであり、洗い場蓋２８は洗い場側床パン２１の上方から落とし込む施工方法となっていた。洗い場蓋２８の内方寸法は、洗い場側床パン２１の収容寸法とほとんど同じであるため洗い場蓋２８の施工には、壁等を傷つけないように細心の注意を払う必要があった。また、洗い場蓋２８と床パン側（図２では壁パネル設置部２５を介する）の間には必然的に平面的な隙間（図２に楕円状破線で示す部位）が出現するため、床（フロア）廻りが汚れやすく、清掃も困難であった。さらに、その隙間をシール材等を用いてシールすることも行われていたが、シール材に汚れが付着しやすく、カビの付着や変色の原因となっていた。
【０００５】
本願発明は、以上のとおりの事情に鑑みてなされたもので、洗い場蓋の施工性にすぐれた浴室ユニットの床パン構造を提供することを課題とする。
【０００６】
また、本願発明は、床（フロア）廻りの防汚性能を向上させることを別の課題とする。
【課題を解決するための手段】
【０００７】
本願発明の浴室ユニットの床パン構造は、上記課題を解決するため、第１には、洗い場を有する浴室ユニットの床パンに形成した点検口を洗い場蓋で閉塞する浴室ユニットの床パン構造において、床パンの端部には、上面に壁載せ部が形成された壁パネル設置部が設けられ、浴槽側以外の壁パネル設置部には凹部が形成され、洗い場蓋の端縁が、互いに対向する壁パネル設置部の凹部に入り込んだ状態で洗い場蓋を対向方向に往復動させることにより、洗い場蓋の端縁が凹部に収容され、洗い場蓋が取り付けられるようになっていることを特徴とする。
【０００８】
また、第２には、上記第１の発明において、洗い場蓋の端縁に、上方に折り返した立上り部を有し、立上り部の外壁に上方に突出する凸部が形成され、床パンの端部には、内方に壁載せ片が突設された壁パネルが設けられ、洗い場蓋の立上り部の凸部が、互いに対向する壁パネル設置部の凹部に入り込んだ状態で洗い場蓋を対向方向に往復動させることにより、凸部を含む立上り部が凹部に収容され、洗い場蓋が取り付けられるようになっていることを特徴とする。
【０００９】
また、第３には、上記第１又は第２の発明において、互いに対向する壁パネル設置部の凹部の奥行きが互いに異なり、一方を奥行きが深い凹部、他方を奥行きが浅い凹部としたことを特徴とする。
【００１０】
さらに、第４には、上記第１から第３のいずれかの発明において、洗い場蓋の端縁に形成された立上り部の凸部の水平方向寸法をＡ、互いに対向する壁パネル設置部の凹部のうち深い凹部の奥行きをＢ、浅い凹部の奥行きをＣとしたときに、Ｂ≧２Ａ、かつＣ≧Ａの関係を有することを特徴とする。
【発明の効果】
【００１１】
本願請求項１の発明によれば、床パンの端部に、上面に壁載せ部が形成された壁パネル設置部を設け、浴槽側以外の壁パネル設置部に凹部を形成し、洗い場蓋の端縁が、互いに対向する壁パネル設置部の凹部に入り込んだ状態で洗い場蓋を対向方向に往復動させることにより、洗い場蓋の端縁が凹部に収容され、洗い場蓋が取り付けられる構成としたので、洗い場蓋の施工性が向上する利点がある。
【００１２】
本願請求項２の発明によれば、洗い場蓋の外周部を上方に折り返した形状を有する立上り部とし、洗い場蓋の立上り部の凸部を、互いに対向する２つの壁パネル設置部の凹部に入り込んだ状態で洗い場蓋を対向方向に往復動させることにより、凸部を含む立上り部が凹部に収容され、洗い場蓋が取り付けられる構成としたので、上記効果に加え、床（フロア）廻りの防汚性能を向上させることができる。
【００１３】
本願請求項３の発明によれば、対向する２つの壁パネル設置部の凹部の奥行きを異なるものとしたので、洗い場蓋の施工性をさらに良好なものとすることができる。
【００１４】
本願請求項４の発明によれば、洗い場蓋の立上り部の外壁厚み及び凸部の水平方向の寸法と、互いに対向する２つの壁パネル設置部の凹部の奥行きとの関係を特定化したので、洗い場蓋の施工性をさらに一層良好なものとすることができる。
【発明を実施するための最良の形態】
【００１５】
本願発明は上記のとおりの特徴をもつものであるが、以下にその実施の形態について説明する。
【００１６】
図１は、本願発明による浴室ユニットの床パン構造の一実施形態における洗い場側の構造を模式的に示すとともに、洗い場蓋の施工方法（取付方法）の手順を示す断面図であり、図１（ａ）〜（ｄ）が図２と同様な方向の断面図、図１（ｅ）が図２と直角な方向の断面図である。
【００１７】
図１（ｅ）、（ｄ）が本実施形態における洗い場蓋の施工後の様子を示す図である。本実施形態では、洗い場側床パン１は全体平面形状が略四角形状となっており、４つの端部のうち、浴槽側端部以外の３つの端部は上方に起立した起立部２となっている。浴槽側端部は、図１（ｅ）に示すように、起立部３と折り返し部４とこれらを接続する水平接続部５を有している。また、洗い場側床パン１の端部には、壁パネル６を設置するための壁載せ片７を有する壁パネル設置部８が設けられている。また、洗い場側床パン１の適所には点検口９が形成されており、この点検口９を閉塞するために洗い場蓋１０が取り付けられている。洗い場蓋１０は端部が上方に折り返した形状を有する立上り部１１となっている。立上り部１１の上方には外方に向けて突出する凸部１２が設けられている。洗い場蓋１０のスライド方向と直角な方向の寸法は、浴室内方寸法より大きく設定する。
【００１８】
壁パネル設置部８は、洗い場側床パン１とは別体の部材（幅木）となっており、上方には内方に向かって突出する壁載せ片７が突設され、そこに壁パネル６を載せることができるようになっている。また壁パネル設置部８の壁載せ片７の下方には、洗い場蓋１０の凸部１２を含む立上り部１１を収容する凹部１３（１３Ａ、１３Ｂ、１３Ｃ）が形成されている。
【００１９】
ここで本実施形態では、図１（ａ）〜（ｄ）に示すように、互いに対向する２つの壁パネル設置部８の凹部１３Ａ、１３Ｂを奥行きが異なるように形成し、一方の凹部１３Ａの奥行きを深く、他方の凹部１３Ｂの奥行きを浅くしている。また、洗い場蓋１０の立上り部１１の凸部１２の水平方向寸法をＡ、互いに対向する２つの壁パネル設置部８の凹部１３Ａ、１３Ｂのうち深い凹部１３Ａの奥行きをＢ、浅い凹部１３Ｂの奥行きをＣとしたときに、Ｂ≧２Ａの関係としている。またＣ≧Ａの関係を有するようにしている。また、浴槽と反対側の洗い場側床パン１の端部に設けられた壁パネル設置部８の凹部１３Ｃの奥行きをＤとすると、Ｄ≧Ａとしている。このように規定することで洗い場蓋の施工性を向上させている。
【００２０】
また、壁パネル６の内壁（意匠面）１４と洗い場蓋１０の立上り部１１の内壁１５とがほぼ同一面（面一）となり、浴室を見栄えのよいものとしている。また、壁パネル設置部８の外側下方には洗い場側床パン１の起立部２と相補的な形状を有する凹部１６が形成され、その凹部１６と洗い場側床パン１の起立部２が係合するようになっている。
【００２１】
壁パネル６と壁パネル設置部８の壁載せ片７との間の間隙と、壁パネル設置部８の壁載せ片７と洗い場蓋１０の立上り部１１の上面との間の間隙は、たとえば１箇所でシール材によりシールすることにより、止水性を持たせることができる。この場合、壁載せ片７の厚みは壁パネル６の設置に支障のない程度の肉薄とすることが好ましい。１箇所でのシール、すなわち１本の目地仕上がりとすると、浴室が見栄えのよいものとなる。
【００２２】
洗い場蓋１０の固定は、図１（ｅ）に示すように起立部１７と折り返し部１８とこれらを接続する水平接続部１９を有する浴槽側端部で、浴槽のエプロンの内側において、例えば図中の矢印の方向（上方又は側方から）ネジ止めにより固定することができる。このネジ止めのため折り返し部１８には固定用片２０が取り付けられている。このような固定方法にすると、固定部分がエプロンで隠れるため、浴室が見栄えのよいものとなる。
【００２３】
本実施形態で洗い場蓋１０の施工をする場合、先ず図１（ａ）、（ｂ）に示すように、洗い場蓋１０を洗い場側床パン１に取り込み、洗い場蓋１０の一方の立上り部１１の凸部１２を、壁パネル設置部８の凹部１３Ａ（奥行き大）に入り込ませた状態とする。そして凸部１２を凹部１３Ａに押し当てながら、洗い場蓋１０を下方へ落とし込む。図１（ｃ）に示すように、洗い場蓋１０の表面が凹部１３Ａと凹部１３Ｂの底面を結ぶ面上に位置するようになったら、洗い場蓋１０を凹部１３Ｂ側にスライドさせる。そして図１（ｄ）に示すような状態となったら洗い場蓋１０の凹部１３Ａ、１３Ｂ間での往復動を停止し、最後に図１（ｅ）に示すように、洗い場蓋１０を凹部１３Ｃ側へスライドさせ、所定の位置に配置する。その後、固定用片２０の所でネジ止めをする。
【００２４】
上記のようにして洗い場蓋１０の施工を容易に行うことができる。そして、施工後には、洗い場蓋１０の隅部に平面的な隙間が現れないため床（フロア）廻りの防汚性能を向上させることができる。
【００２５】
以上、本願発明を一実施形態に基づいて説明したが、もちろん本願発明は上記実施形態に限定されるものではなく、種々の変形、変更が可能である。
【００２６】
例えば、上記実施形態では、壁パネル設置部は床パンと別体のもの（幅木）としたが、本願発明によれば、両者を一体化させてもよい。
【００２７】
また、上記実施形態では、壁載せ片を設けたが、本願発明によれば、壁載せ部の構造は壁載せ片に限定されず、種々の構造のものとすることができる。
【図面の簡単な説明】
【００２８】
【図１】本願発明による浴室ユニットの床パン構造の一実施形態における洗い場側の構造を模式的に示すとともに、洗い場蓋の施工方法（取付方法）の手順を示す断面図である。
【図２】従来の浴室ユニットの床パン構造における洗い場側の構造を模式的に示す断面図である。
【符号の説明】
【００２９】
１    洗い場側床パン
２    起立部
３    起立部
４    折り返し部
５    水平接続部
６    壁パネル
７    壁載せ片
８    壁パネル設置部
９    点検口
１０    洗い場蓋
１１    立上り部
１２    凸部
１３    凹部
１４    壁パネルの内壁（意匠面）
１５    洗い場蓋の立上り部の内壁
１６    凹部
１７    起立部
１８    折り返し部
１９    水平接続部
２０    固定用片
【図１】
2006233438.tif 000003
【図２】
2006233438.tif 000004